(57)【要約】底部に穴を有するボウル形のカバー（１）が、従来のイヤホンの音穴を有するカバーに取って代わり、したがって、一定の空間を形成する。イヤホンの音は、カバー（１）の内面を叩くことによりカバー（１）を振動させ、その後、振動は、カバー（１）に取り付けられるゴムドラムヘッド（振動膜）（２）に伝えられる。イヤホンのゴムドラムヘッド（振動膜）（２）は、柔軟な耳あてとして機能し、装着感触を柔らかく快適にする。本発明は、音を振動へと変換するとともに音を隔離するイヤホンに関する。
2011507382.tif 000002
【特許請求の範囲】
【請求項１】
ダイヤフラムを覆うように適切に寸法付けられ且つ従来のイヤホンのフロントカバーに取って代わるカバー（１）と、カバー（１）の外面に取り付けられるゴムドラムヘッド（振動膜）（２）と、音がカバー（１）の内面を叩く際にカバー（１）が振動するときにカバーからゴムドラムヘッド（振動膜）（２）に伝えられる振動を用いて耳の根元にある外耳道の近傍の突き出た軟骨を刺激することにより音を聴くための方法とを含む、イヤホン。
【請求項２】
ゴムドラムヘッド（２）がカバー（１）に一体として組み込まれる、請求項１に記載のイヤホン。
【請求項３】
カバー（１）およびゴムドラムヘッド（振動膜）（２）は、ゴム、硬質または軟質プラスチック、または、２つの材料の組み合わせからなる、請求項１または２に記載のイヤホン。
【請求項４】
請求項１に記載のイヤホンを備える補聴器であって、音の音質を調整するためにピン穴がカバー（１）に形成される補聴器。
【発明の詳細な説明】
【技術分野】
【０００１】
本発明は、従来のイヤホンのフロントカバーを除去してその構造を変えることで音を振動へと変換することにより音を知覚するイヤホンのための技術に関する。
【背景技術】
【０００２】
従来のイヤホンは、オンイヤ式イヤホン、インイヤ式イヤホン、外耳の全てを覆うヘッドホンなど、様々なタイプのものがある。これらのタイプの全ては、ダイヤフラムに貼り付けられる可動コイルに電気信号が通されるという共通の形態を有しており、それにより、ダイヤフラムが振動し、したがって、音が生成される。従来のイヤホンを大きな音で長時間使用すると、耳痛を引き起こす可能性があり、過酷なケースでは騒音性難聴を引き起こす可能性がある。また、外耳全体を覆うインイヤ式イヤホンまたはヘッドホンは外的な音を遮断するため、近くにいる人からの発話および音が認識されない場合がある。騒音性難聴を伴う人の場合、鼓膜に対する音量を増大しても、従来のイヤホンを用いた発話および音の認識を向上させるのにあまり役立たない。
【０００３】
本発明では、図３に示されるように底部に穴を有するボウル形のカバー（１）が従来のイヤホンカバーに取って代わり、したがって、一定の空間を形成する。本発明は、イヤホンの音がカバー（１）の内面を叩くことによりカバー（１）を振動させる際に音を振動へと変換する技術に関し、その後、振動は、カバー（１）に取り付けられるゴムドラムヘッド（振動膜）（２）に伝えられる。
【０００４】
軟質のゴムドラムヘッド（振動膜）（２）は、耳の根元にある外耳道の周囲に柔らかく接触し、耳あてとして機能する。しかしながら、近くにいる人からの外的な発話および音を認識することができ、また、イヤホンは、装着時間が長い場合であっても快適である。また、イヤホンは、イヤホンの音が囲繞カバーによって隔離され、したがって、鼓膜を振動させないため、鼓膜および聴覚能力を保護する。
【０００５】
耳の根元にある外耳道の近傍の突き出た軟骨がゴムドラムヘッド（振動膜）（２）の振動によって刺激されるときに音を知覚できるという事実が発見された。
【０００６】
健康な耳を有する人は、外耳道および鼓膜を通じて及び振動により、ゴムドラムヘッド（振動膜）（２）が振動するときに発生される弱い音をも含む音および発話を知覚できる。この場合、音が２つの異なるチャンネルを通じて同時に聴き取られるため、音をより明確に聴き取ることができる。
【０００７】
鼓膜損傷に起因する難聴を有する人は、鼓膜を通じてではなく、外耳道の近傍の突き出た軟骨を振動によって刺激することにより発話および音を知覚でき、それにより、言語を自然に理解できる。
【発明の概要】
【発明が解決しようとする課題】
【０００８】
イヤホンダイヤフラムのフロントカバーが除去され、図３に示されるように底部に穴を有するボウル形のカバー（１）がそれに取って代わる。その後、カバー（１）上に固定ピン（３）によってゴムドラムヘッド（振動膜）（２）が取り付けられ、それにより、カバー（１）の振動がゴムドラムヘッド（振動膜）（２）に伝えられる。
【課題を解決するための手段】
【０００９】
底部に穴を有するボウル形のカバー（１）が、ダイヤフラムのための従来のイヤホンカバーに取って代わり、したがって、一定の空間を形成する。
【００１０】
カバー（１）上に固定ピン（３）によってゴムドラムヘッド（振動膜）（２）が取り付けられ、それにより、カバー（１）の振動が効率的に伝えられる。この時、ゴムドラムヘッドの他方側の接触面積が大きくされ、それにより、ゴムドラムヘッドがカバー（１）の縁部周囲の溝（４）と密に接触し、したがって、振動伝達の効率が高められる。
【００１１】
また、ゴムドラムヘッド（２）が取り付けられるカバー（１）の中心に突起を形成することにより固定ピン（３）を省くことができる。
【００１２】
イヤホンを装着する感触は、ゴムドラムヘッド（２）の表面の一部に開口を適切にカットすることにより柔らかくなり得る。
【００１３】
右側および左側の両方のイヤホンのための固定フレーム（９）が弾性材料によって形成され、それにより、イヤホンを装着すると、ゴムドラムヘッド（振動膜）（２）が耳の根元にある外耳道の近傍の突き出た軟骨と密に接触し、それにより、振動が突き出た軟骨へ効率的に伝達される。
【発明の効果】
【００１４】
中空リング形のゴムドラムヘッド（振動膜）（２）は、軟質材料から形成されており、耳の根元にある外耳道の周囲に柔らかく接触し、耳あてとして機能する。しかしながら、イヤホンは、装着時間が長い場合であっても快適であり、また、近くにいる人からの外的な発話および音がよく聴こえる。
【００１５】
鼓膜を通じて発話および音を聴くことができない人であっても、ゴムドラムヘッド（振動膜）（２）の振動を用いて耳の根元にある外耳道の近傍の突き出た軟骨を刺激することにより発話および音を知覚できる。したがって、従来の補聴器のように音を用いて鼓膜を振動させることによってではなく、耳の根元にある外耳道の近傍の突き出た軟骨を振動により刺激することによって発話および音を知覚するのに役立つ新規なタイプの補聴器を考え出すことができなければならない。
【００１６】
イヤホンの音がカバー（１）によって隔離されるため、鼓膜および聴覚能力が大きいイヤホンの音によって損なわれないようにすることにより耳を保護することができる。
【００１７】
健康な耳を有する人は、外耳道および鼓膜を通じて及び振動により、ゴムドラムヘッド（振動膜）（２）が振動するときに発生される弱い音であっても知覚できる。この場合、音が２つの異なるチャンネルを通じて同時に聴き取られるため、音をより明確に聴き取ることができる。
【００１８】
実際に、聴覚障害のある人および言語理解に乏しい人に関する実験によれば、彼らは、このイヤホンを用いて、通常の聴覚を有する人と同じレベルまで言語を理解することができた。
【図面の簡単な説明】
【００１９】
【図１】ゴムドラムヘッド（振動膜）（２）を備えるイヤホンの斜視図である。
【図２】カバー（１）、ゴムドラムヘッド（振動膜）（２）、および、その固定ピン（３）の例図である。
【図３】カバー（１）の斜視図である。
【図４】ダイヤフラム（５）の前方に取り付けられるカバー（１）の外観である。
【図５】カバー（１）に取り付けられるゴムドラムヘッド（振動膜）（２）および固定ピン（３）の外観である。
【図６】イヤホンの最終組み立ての図である。
【発明を実施するための形態】
【００２０】
図３に示されるように底部に穴を有するボウル形のカバー（１）が、ダイヤフラムのための従来のイヤホンカバーに取って代わり、したがって、一定の空間を形成する。カバーは、硬質プラスチックなどの比較的硬質な材料から形成される。カバーの厚さは、振動に関係するので、実験を用いて適切に決定されるべきである。しかしながら、カバーは、ゴムのような軟質材料、または、硬質材料と軟質材料との組み合わせから形成できる。
【００２１】
図５に示されるように、ゴムドラムヘッド（振動膜）（２）は中空リング形を有する。ダイヤフラム側の円形穴は、ゴムドラムヘッド（振動膜）（２）のための固定ピン（３）よりも大きくなければならず、また、カバー（１）の溝（４）は、接触面積が可能な限り大きくなるように半円形をなして縁部の周囲に切り出される。また、ゴムドラムヘッド（振動膜）（２）は、それがカバー（１）の縁部周囲の溝（４）と自然な接触を行なうように半円形に丸められる。
【００２２】
しかしながら、ゴムドラムヘッド（振動膜）（２）をカバー（１）に一体として組み込むことができる。いずれにしても、その材料は固体でなければならず、また、ゴムドラムヘッド（振動膜）（２）は快適な装着のために柔らかく形成される。
【００２３】
イヤホンの音が囲繞カバー（１）の内面を叩く際にカバー（１）が振動するときにカバーから伝えられるゴムドラムヘッド（振動膜）（２）の振動によって耳の根元にある外耳道の近傍の突き出た軟骨を刺激することにより得られた音の音質の検査によって音が不自然であると見なされる場合には、ピン穴をカバー（１）の縁部周囲の溝（４）またはカバー（１）の表面の中心に形成することにより音の音質を調整することができる。
【００２４】
従来のイヤホンの音穴を有するカバーを除去した後、図３に示されるように底部に穴を有するボウル形のカバー（１）が、図４に示されるようにイヤホンのダイヤフラムの前方に配置される。その後、図５に示されるようなゴムドラムヘッド（振動膜）（２）が、図６に示される最終組み立て前に、固定ピン（３）によってカバー（１）の前部に固定される。
【００２５】
（産業上の利用可能性）
今日、何千もの異なるタイプのイヤホンおよびヘッドホンが製造されており、それらの性能は全て異なる。これらのイヤホンの全ては、永久磁石の磁場内に位置されるダイヤフラムに貼り付けられる可動コイルを通じて電流が流れるときに磁気作用によってダイヤフラムを振動させることにより発生される音を用いて鼓膜を振動させることによって音が知覚される空気伝導タイプのものである。また、鼓膜を通じた大きい音が聴覚能力を損なうこともよく知られた事実である。したがって、少ない音量を用いて聴くことが唯一の安全な方法である。
【００２６】
本発明は、イヤホンカバー（１）から伝えられるゴムドラムヘッド（振動膜）（２）の振動を用いて耳の根元にある外耳道の近傍の突き出た軟骨を刺激することによって音を知覚する新規なタイプのイヤホンに関する。カバーが音を隔離するため、鼓膜および聴覚能力を保護できることが明らかな効果である。したがって、自分自身の耳を保護したいと望む人の数が日々増大し、人が更に長い寿命を生きるにつれて聴覚障害のある人の数の日々増大する。このイヤホンを備える質のよい補聴器のタイプに対する需要は、世界市場において途方もなく大きい。
【００２７】
（キーワ−ド）
ゴムドラムヘッド（振動膜）（２）、突き出た軟骨、騒音性難聴、固定ピン（３）、カバー（１）
【符号の説明】
【００２８】
１  カバー
２  ゴムドラムヘッド（振動膜）
３  固定ピン
４  カバーの縁部周囲の溝
５  ダイヤフラム
６  組み立て時の固定ピンの結合領域
７  固定ピンのフック
８  組み立て時の固定ピンのフックの接続領域
９  右側イヤホンおよび左側イヤホンの両方のための固定フレーム
【図１】
2011507382.tif 000003
【図２】
2011507382.tif 000004
【図３】
2011507382.tif 000005
【図４】
2011507382.tif 000006
【図５】
2011507382.tif 000007
【図６】
2011507382.tif 000008
【手続補正書】
【提出日】平成21年11月6日(2009.11.6)
【手続補正１】
【補正対象書類名】明細書
【補正対象項目名】全文
【補正方法】変更
【補正の内容】
【発明の詳細な説明】
【技術分野】
【０００１】
本発明は、軟骨を介して音を伝えるイヤホンに関する。特に、本発明は、騒音性難聴を引き起こさないように鼓膜への音の直接的な伝達を隔離させるとともに、音を振動へと変換することにより音を知覚するイヤホンに関する。
【背景技術】
【０００２】
従来のイヤホンは、オンイヤ式イヤホン、インイヤ式イヤホン、外耳の全てを覆うヘッドホンなど、様々なタイプのものがある。これらのタイプの全ては、ダイヤフラムに貼り付けられる可動コイルに電気信号が通されるという共通の形態を有しており、それにより、ダイヤフラムが振動し、したがって、音が生成される。例えば、韓国特許公開公報２００３−００３０７１１号の図３に示されるような従来のイヤホンを大きな音で長時間使用すると、耳痛を引き起こす可能性があり、過酷なケースでは騒音性難聴を引き起こす可能性がある。また、外耳全体を覆うヘッドホンまたはインイヤ式イヤホンは外的な音を遮断するため、近くにいる人からの発話および音が認識されない場合がある。騒音性難聴を伴う人の場合、鼓膜に対する音量を増大しても、従来のイヤホンを用いた発話および音の認識を向上させるのにあまり役立たない。
【発明の概要】
【発明が解決しようとする課題】
【０００３】
上記課題を解決するため、本発明の目的は、軟質のゴムドラムヘッド（振動膜）を有するイヤホンを提供することである。
本発明に係る軟質のゴムドラムヘッド（振動膜）（２）は、耳の根元にある外耳道周囲で柔らかく接触し、耳あてとして機能する。しかしながら、近くにいる人からの外的な発話および音を認識することができ、また、イヤホンは、装着時間が長い場合であっても快適である。また、イヤホンは、イヤホンの音が囲繞カバーによって隔離され、したがって、鼓膜を振動させないため、鼓膜および聴覚能力を保護する。
健康な耳を有する人は、外耳道および鼓膜を通じて及び振動により、ゴムドラムヘッド（振動膜）（２）が振動するときに発生される弱い音をも含む音および発話を知覚できる。本発明に係るイヤホンは、音を２つの異なるチャンネルを通じて同時に伝え、音をより明確に聴き取ることもできる。
また、本発明に係るイヤホンは、鼓膜損傷に起因する難聴を有する人が、鼓膜を通じてではなく、外耳道の近傍の突き出た軟骨を振動によって刺激することにより発話および音を知覚でき、それにより、言語を自然に理解できるため、快適に使用できる。
【０００４】
軟骨を介して音を伝える本発明に係るイヤホンは、音を形成するダイヤフラムと、底部に穴を有するボウル形のカバーと、コムドラムヘッド（振動膜）と、固定ピンとからなる。
【０００５】
底部に穴を有するボウル形のカバー（１）は、音を形成するダイヤフラム上に置かれる。コムドラムヘッド（振動膜）（２）は固定ピン（３）によってカバー（１）に取り付けられ、それにより、カバー（１）の振動が効率的に伝えられる。
本発明において、底部に穴を有するボウル形のカバー（１）が、ダイヤフラムのための従来のイヤホンカバーに取って代わり、したがって、一定の空間を形成する。カバー（１）は、イヤホンの音が囲繞カバー（１）の内面を叩くときに振動し、また、カバー（１）の振動は、ゴムドラムヘッド（２）が取り付けられるカバー（１）の外面に吸収され、音へ変換される。
【発明の効果】
【０００６】
本発明によれば、中空リング形のゴムドラムヘッド（振動膜）（２）は、軟質材料から形成されており、耳の根元にある外耳道の周囲で柔らかく接触し、耳あてとして機能する。したがって、本発明に係るイヤホンは、装着時間が長い場合であっても快適であり、また、近くにいる人からの外的な発話および音がよく聴こえる。
また、本発明に係るイヤホンは、ゴムドラムヘッド（振動膜）（２）の振動を用いて耳の根元にある外耳道の近傍の突き出た軟骨を刺激することにより振動を効率的に伝えることができる。
【０００７】
鼓膜を通じて発話および音を聴くことができない人であっても、本発明のイヤホンがゴムドラムヘッド（振動膜）の振動を用いて耳の根元にある外耳道の近傍の突き出た軟骨を刺激するため、発話および音を知覚できる。したがって、本発明に係るイヤホンに基づき、従来の補聴器のように音を用いて鼓膜を振動させることによってではなく、耳の根元にある外耳道の近傍の突き出た軟骨を振動により刺激することによって発話および音を知覚するのに役立つ新規なタイプの補聴器を考え出すことができなければならない。
【０００８】
さらに本発明に係るイヤホンにおいて、音はカバー（１）によって隔離されるため、鼓膜および聴覚能力が大きいイヤホンの音によって損なわれないようにすることにより耳を保護することができる。
【０００９】
健康な耳を有する人は、外耳道および鼓膜を通じて及び振動により、ゴムドラムヘッド（振動膜）（２）が振動するときに発生される弱い音であっても知覚できる。この場合、音を軟骨に伝えることによって知覚される信号および鼓膜を通じて反響される音の両方が２つの異なるチャンネルを通じて同時に聴き取られるため、イヤホンの音をより明確に聴き取ることができる。
【００１０】
実際に、聴覚障害のある人および言語理解に乏しい人に関する本発明に係るイヤホンのための実験によれば、このイヤホンを用いると、彼らが通常の聴覚を有する人と同じレベルまで言語を理解できることが分かった。
【図面の簡単な説明】
【００１１】
【図１】ゴムドラムヘッド（振動膜）（２）を備えるイヤホンの斜視図である。
【図２】カバー（１）、ゴムドラムヘッド（振動膜）（２）、および、その固定ピン（３）の例図である。
【図３】カバー（１）の斜視図である。
【図４】ダイヤフラム（５）の前方に取り付けられるカバー（１）の外観である。
【図５】カバー（１）に取り付けられるゴムドラムヘッド（振動膜）（２）および固定ピン（３）の外観である。
【図６】イヤホンの最終組み立ての図である。
【発明を実施するための形態】
【００１２】
底部に穴を有するボウル形のカバー（１）が、音声を発生させるダイヤフラム上に配置され、したがって、一定の空間を形成する。
ゴムドラムヘッド（振動膜）（２）は、カバー（１）の振動が効率的に伝えられるように固定ピン（３）を使用してカバー（１）に取り付けられる。反対側では、振動の伝達効率を高めるため、カバー（１）の溝（４）が、接触面積が可能な限り大きくされるように縁部の周囲に切り出される。
ゴムドラムヘッド（２）が取り付けられるようにカバー（１）の中心が突起である場合には、固定ピンを省くことができる。
イヤホンを装着する感触は、ゴムドラムヘッド（２）の表面の一部に開口を適切にカットすることにより柔らかくなり得る。
右側および左側の両方のイヤホンのための固定フレーム（９）が弾性材料によって形成され、それにより、イヤホンを装着すると、ゴムドラムヘッド（振動膜）（２）が耳の根元にある外耳道の近傍の突き出た軟骨と密に接触し、それにより、振動が突き出た軟骨へ効率的に伝達される。
カバー（１）は、硬質プラスチックなどの比較的硬質な材料から形成される。カバーの厚さは、振動に関係するので、実験を用いて適切に決定されるべきである。しかしながら、カバーは、ゴムのような軟質材料、または、硬質材料と軟質材料との組み合わせから形成できる。
【００１３】
図５に示されるように、ゴムドラムヘッド（振動膜）（２）は中空リング形を有する。ダイヤフラム側の円形穴は、ゴムドラムヘッド（振動膜）（２）のための固定ピン（３）よりも大きくなければならず、また、カバー（１）の溝（４）は、接触面積が可能な限り大きくなるように半円形をなして縁部の周囲に切り出される。また、ゴムドラムヘッド（振動膜）（２）は、それがカバー（１）の縁部周囲の溝（４）と自然な接触を行なうように半円形に丸められる。
【００１４】
本発明の他の実施形態によれば、ゴムドラムヘッド（振動膜）（２）をカバー（１）に一体として組み込むことができる。その材料は固体でなければならず、また、ゴムドラムヘッド（振動膜）（２）は快適な装着のために柔らかく形成される。
【００１５】
音は、イヤホンの音が囲繞カバー（１）の内面を叩く際にカバー（１）が振動するときにカバーから伝えられるゴムドラムヘッド（振動膜）（２）の振動によって耳の根元にある外耳道の近傍の突き出た軟骨を刺激することにより得られている。
本発明の様々な実施形態をその添付図面を参照して詳しく説明してきた。しかしながら、当業者であれば分かるように、本発明の原理および精神から逸脱することなく、これらの実施形態において変更をなすことができ、本発明の範囲は、添付の請求項およびそれらの等価物に規定される。
【００１６】
（産業上の利用可能性）
今日、何千もの異なるタイプのイヤホンおよびヘッドホンが製造されており、それらの性能は全て異なる。これらのイヤホンの全ては、永久磁石の磁場内に位置されるダイヤフラムに貼り付けられる可動コイルを通じて電流が流れるときに磁気作用によってダイヤフラムを振動させることにより発生される音を用いて鼓膜を振動させることによって音が知覚される空気伝導タイプのものである。また、鼓膜を通じた大きい音が聴覚能力を損なうこともよく知られた事実である。したがって、少ない音量を用いて聴くことが唯一の安全な方法である。
【００１７】
本発明は、イヤホンカバーから伝えられるゴムドラムヘッド（振動膜）の振動を用いて耳の根元にある外耳道の近傍の突き出た軟骨を刺激することによって音を知覚する新規なタイプのイヤホンに関する。カバーが音を隔離するため、鼓膜および聴覚能力を保護できるという効果がある。自分自身の耳を保護したいと望む人の数が日々増大し、また、人が更に長い寿命を生きるにつれて聴覚障害のある人の数も日々増大する。このイヤホンを備える質のよい補聴器のタイプに対する需要は、世界市場において途方もなく大きくなる。
【００１８】
（キーワ−ド）
ゴムドラムヘッド（振動膜）（２）、突き出た軟骨、騒音性難聴、固定ピン（３）、カバー（１）
【符号の説明】
【００１９】
１  カバー
２  ゴムドラムヘッド（振動膜）
３  固定ピン
４  カバーの縁部周囲の溝
５  ダイヤフラム
６  組み立て時の固定ピンの結合領域
７  固定ピンのフック
８  組み立て時の固定ピンのフックの接続領域
９  右側イヤホンおよび左側イヤホンの両方のための固定フレーム
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
軟骨を介して音を伝えるイヤホンにおいて、
可動コイルに通される電気信号により振動されることによって音を発生させるダイヤフラムと、
中央に穴と縁部を有するカバー（１）であって、音がカバーの内面を叩く際にカバー（１）が振動するときに形成される振動を振動膜に伝える、カバー（１）と、
カバーの縁部と密に接触し、振動をカバーから外耳道近傍の接触部へと伝えるリング形の振動膜と、
ダイヤフラムをカバーに固定するための固定ピンであって、固定ピンおよびカバーが、ダイヤフラムによって形成される音が鼓膜を叩かないように音を隔離する、固定ピンとを備えるイヤホン。
【請求項２】
カバーが振動膜よりはむしろ比較的硬質の材料から形成され、振動膜がゴムなどの軟質材料から形成され、接触部が外耳道近傍の突き出た軟骨である、請求項１に記載のイヤホン。
【請求項３】
振動膜が突き出た軟骨と密に接触するように弾性固定フレームを更に備える、請求項２に記載のイヤホン。
【請求項４】
振動膜がリング形である、請求項３に記載のイヤホン。
【請求項５】
請求項１から４のいずれか一項に記載の軟骨を介して音を伝えるイヤホンを備える、補聴器。
【請求項６】
外耳道近傍の突き出た軟骨を介して音声信号を伝えるための方法であって、
可動コイルに通される電気信号にしたがってダイヤフラムを振動させる音を発生させることと、
ダイヤフラムによって形成される音が鼓膜を叩かないように音を隔離することと、
ダイヤフラムから形成される音によって振動膜が刺激されるときに振動膜と密に接触する外耳道近傍の突き出た軟骨へと振動膜の振動を伝えることとからなる方法。
【手続補正２】
【補正対象書類名】図面
【補正対象項目名】図５
【補正方法】変更
【補正の内容】
【図５】
2011507382.tif 000009
【国際調査報告】
2011507382.tif 000010
2011507382.tif 000011